(57)【要約】【目的】日時に関連した情報をタイトルとして撮影状況に応じて自動的に挿入することができるタイトル自動挿入機能付き映像記録装置を提供すること。【構成】計時手段と、任意の日時情報の変わり目を検出する手段と、任意の文字や記号等のキャラクタ（ｃｈａｒａｃｔｅｒ）を生成する手段と、該検出した日時情報の変わり目に対応して、生成したキャラクタを映像として記録媒体に記録する手段と、任意の映像を記録または撮影する手段と、を備える。そして、日時情報に対応して任意のキャラクタを決めて生成する手段を備える。【選択図】　　　図１
2004007041.tif 000002
【特許請求の範囲】
【請求項１】
計時手段と、任意の日時情報の変わり目を検出する手段と、任意の文字や記号等のキャラクタ（ｃｈａｒａｃｔｅｒ）を生成する手段と、該検出した日時情報の変わり目に対応して、生成したキャラクタを映像として記録媒体に記録する手段と、任意の映像を記録または撮影する手段と、を備えることを特徴とするタイトル自動挿入機能付き映像記録装置。
【請求項２】
日時情報に対応して任意のキャラクタを決めて生成する手段を備えることを特徴とする請求項１記載のタイトル自動挿入機能付き映像記録装置。
【請求項３】
映像を記録する第１の記録媒体以外に別途、画像情報等を記録する第２の記録媒体を備え、該生成したキャラクタと第２の記録媒体に記録された画像情報とを合成する手段と、該合成した画像情報を第１の記録媒体に記録する手段と、を備えることを特徴とする請求項１又は２記載のタイトル自動挿入機能付き映像記録装置。
【請求項４】
第２の記録媒体に記録された複数の画像情報の内、複数の任意の画像と該キャラクタとをそれぞれ合成してタイトル画像の一部にする手段と、該合成した複数のタイトル画像を映像として各々任意の記録時間で第１の記録媒体に記録する手段を備えることを特徴とする請求項３記載のタイトル自動挿入機能付き映像記録装置。
【請求項５】
第２の記録媒体に記録された複数の画像情報の内、複数の任意の画像を１枚の画像として合成する手段と、該１枚に合成された画像と該キャラクタを合成してタイトル画像とする手段と、該合成したタイトル画像を第１の記録媒体に記録する手段とを備えることを特徴とする請求項３又は４記載のタイトル自動挿入機能付き映像記録装置。
【請求項６】
撮影／記録状態で該日時情報の変わり目を検出した時は、撮影／記録終了後に該挿入するタイトル画像を第１の記録媒体に記録する手段を備えることを特徴とする請求項１〜５の何れかに記載のタイトル自動挿入機能付き映像記録装置。
【請求項７】
撮影／記録を一時中断して待機する機能と、待機状態か否かを判断する手段と、待機状態では、該挿入するタイトル画像を第１の記録媒体に記録しない手段とを備えることを特徴とする請求項１〜６の何れかに記載のタイトル自動挿入機能付き映像記録装置。
【請求項８】
日時情報の変わり目（Ａ）から次の日時情報の変わり目（Ｂ）の間に一度も撮影又は記録が行われなかった場合に、日時情報の変わり目（Ａ）に該挿入したタイトル画像の代わりに、日時情報の変わり目（Ｂ）に対応したタイトル画像を第１の記録媒体に記録する手段とを備えることを特徴とする請求項１〜７の何れかに記載のタイトル自動挿入機能付き映像記録装置。
【発明の詳細な説明】
【０００１】
【発明の属する技術分野】
本発明は、タイトルを自動挿入する映像記録再生装置に関する。
【０００２】
【従来の技術】
従来のＶＴＲ（Ｖｉｄｅｏ　Ｔａｐｅ　Ｒｅｃｏｒｄｅｒ）等に代表されるような、映像情報を記録再生しする機器では、例えばビデオカメラでの撮影時若しくは撮影した映像の編集時に、撮影内容の説明や映像効果を高めるために、タイトルとして文字や記号或は画像を任意に挿入又は合成（クロマキー処理やスーパーインポーズ等）する装置や手法等がこれまで多く提案されている。
【０００３】
ここで言うタイトルの入れ方には、大きく分けて２つの入れ方がある。１つは、撮影映像とは独立した映像として、撮影シーンの前又は後ろに挿入されるものである。もう１つは、撮影映像に任意の方法でタイトルとしての情報を合成するものである。
【０００４】
撮影映像にタイトルを挿入するための原始的な手法の１つは、タイトルを紙等に書いてそれをビデオカメラで撮影すること等である。又、最近ではデジタルビデオカメラ（Ｄｉｇｉｔａｌ　Ｖｉｄｅｏ　Ｃａｍｅｒａ　以下ＤＶカメラ）に内蔵されたメモリカード内に記録された静止画を、ユーザの操作によりＤＶテープに静止映像として記録することも可能となっている。
【０００５】
電子的にタイトル（文字や記号）を撮影中の映像に合成（表示）する方法では、キャラクタジェネレータが一般的に用いられている。ユーザの操作手順としては、予め挿入したい文字を選択設定しておき、撮影又はは編集時に「登録されているタイトル選択→色指定→サイズ指定→位置指定→撮影／編集開始」といった手順となる。
【０００６】
表示するための文字や記号の画素（ｂｉｔ）パターンは一般的に読み出し専用メモリであるＲＯＭに記録されている。ユーザからの指示を受けて制御用ＣＰＵを介して指定された内容がキャラクタジェネレータ制御用のレジスタに書き込まれ、表示画面の水平および垂直同期信号に応じて、キャラクタジェネレータがＲＯＭから文字や記号のキャラクタを読み出してビデオ信号に合成する。
【０００７】
又、ＤＶカメラの記録用カセットテープでは、記録テープ（ＤＶテープ）のカセットに予め不揮発性メモリが内蔵されているものもある。このメモリをタイトル管理に利用できるインデックスタイトラー機能搭載ＤＶカメラの場合には、撮影開始時でも再生時でも構わないが、予め登録した文字や記号のキャラクタを撮影映像又は再生映像にスーパーインポーズ表示したり、再生時の内容確認や頭出しに使えるインデックスタイトル表示を行うことも可能である。
【０００８】
他方、ＤＶテープの再生時に単純に撮影／記録日時を確認するには、映像と同時にＤＶテープに磁気記録されているタイムコードから、再生映像に日時を連続的にＯＳＤ（Ｏｎ　Ｓｃｒｅｅｎ　Ｄｉｓｐｌａｙ）機能によりスーパーインポーズ表示する方法等がある。
【０００９】
更に、ビデオライブラリーシステム等と呼ばれる機能を持つＶＴＲも存在する。これは、録画するビデオカセットテープのケースの決められた部分にバーコードシール等、そのビデオカセットテープを一意に識別するための情報を貼り付け、ビデオカセットテープがＶＴＲ内部に挿入されると、バーコードリーダによりバーコードが示す識別情報を読み込む。この識別情報に対応して、録画時には、日時や曜日、録画開始時間、番組、録画モード等がＶＴＲ内のメモリに、録画ごとに書き込まれる。再生時は逆に、再生されているビデオカセットテープに張られているバーコードシール等により特定される識別情報に対応してＶＴＲ内に記録されている、録画日時や曜日、録画開始時間、番組、録画モード等が再生タイトルの選択や映像の再生時にスーパーインポーズされる。
【００１０】
一方、タイトル挿入の制御方法としてファイル管理情報のみで登録や変更等の管理をするものもある。これは、撮影／記録する映像データとタイトル画像データをデジタルファイルとして管理し、撮影／記録する映像データに対してタイトル画像データの挿入制御を行うものも考案されている。これによれば、ファイル管理情報の変更だけで容易にタイトルの挿入や変更がオリジナル撮影／記録映像を残したままで行える等の特徴をもっている。
【００１１】
ここで、上記に挙げたようなタイトル挿入や合成手法の中で、直接、ＤＶテープ等の記録媒体にタイトルを記録しないものでは、再生機器がそれらタイトル挿入や合成システムに対応していないとタイトルを表示することはできない。
【００１２】
又、対応している場合でもタイトルを別途メモリ等に記録しておくものではメモリ容量の制約から、タイトルとして文字や記号等の情報量の少ないものは取り扱えても、画像等の情報量の多いものを保持しておくことは困難である。タイムコードによる日時の表示（ＯＳＤによるスーパーインポーズ表示）も表示する・しないは選択できるが、撮影シーンの時間帯による表示・非表示の制御等は行われていない。
【００１３】
【発明が解決しようとする課題】
こうした背景の下、本発明ではタイトルを予め指定した日時情報の変わり目、例えば一日の内の予め指定した撮影時間帯に対応して、自動的に挿入することを大きな特徴としている。
【００１４】
従来のビデオカメラにおけるタイトル挿入では、予め準備したタイトルテキストや画像をユーザが撮影開始時に意図的に指定して、撮影映像に挿入又は合成したり、映像そのものとは独立して日時データ等を同時記録するものであった。これでは、タイトルを予め登録する手間ばかりでなく、撮影時に登録されているタイトルを一々選択する等、タイトルを挿入又は合成したい箇所ごとにユーザが煩雑な操作を強いられていた。
【００１５】
これに対して本発明では、タイトル映像を日時情報（時間帯等）を条件として、計時手段から取得した日時情報に対応したタイトルを記録テープに自動挿入する。ここで、タイトルの自動挿入は撮影開始毎にされるのではなく、ビデオカメラがカウントしている日時や、必要に応じて動作モード等を条件として自動的に記録される。更なる応用として、日時情報そのものをタイトルとするばかりではなく、予め用意した複数の画像又はそれまでに撮影した静止画等と、計時手段から取得した日時情報や別途日時情報に対応したキャラクタを合成したものをタイトルとして記録テープに自動挿入する。
【００１６】
無論、記録媒体は、テープに限らず、ＨＤＤや光磁気ディスク、半導体メモリ等でも構わない。
【００１７】
ここでタイトルを入れる目的として、
・映像効果（始まり、シーン（映像）説明、終わり等を示す）としてタイトルを入れる
・再生時に同一テープ内の映像タイトルを一覧表示し、その中から目的の映像を検索して再生選択する等が考えられるが、本発明は時間の流れを再生時に大まかにユーザ（視聴者）が把握できることを目的としている。
【００１８】
そのためにタイトルの入れ方も、
・撮影する映像と合成する又は撮影する映像とは独立して挿入する
・撮影の合間にタイトルも記録する又は編集時にタイトルを入れて別のメディア（テープ等）にダビング記録する
等が考えられるが、本発明では撮影する映像とは独立した形で挿入し、後での編集の可能性も考慮に入れ撮影映像には直接タイトルを合成しないものとする。
【００１９】
又、記録媒体（テープ等）に直接書き込む仕組みとしたのは、再生する機器を選ぶことなくタイトルを含めて視聴することを可能とするためである。即ち、従来からの再生装置には手を加えることなく、ユーザ（視聴者）が再生視聴する場合に特殊な操作をすることなく視聴することを可能としている。当然であるが、本発明によりタイトルを含めて撮影された映像をダビングして、別途テープにコピーする場合でも特に特別な操作をすることなく、時間の流れが分かるタイトルを含んだコピーを作成することが可能である。
【００２０】
これらの機能により、例えば何日かの旅行においてビデオ撮影を行った場合でも、再生する際に、「何月何日の午前、午後、夜」程度の大まかな時間の流れを把握しながら撮影画像を鑑賞することが可能となり、しかも、撮影時には撮影者の手を煩わせることなく、自動的にタイトルが挿入される。
【００２１】
又、ここまでは動画を対象としたビデオカメラによる映像撮影を例に挙げて説明してきたが、デジタルカメラのような静止画を記録する装置においても本発明は有効である。なぜなら、デジタルカメラで撮影したＪＰＥＧ等の静止画ファイル（又はＭＰＥＧやＭｏｔｉｏｎ　ＪＰＥＧ等のフォーマットの動画ファイル）を再生する際に、スライドショー再生（静止画を任意の時間間隔で自動的にスライドショーのように順番に表示していく再生方法）を行った場合にも時間的な流れをユーザ（視聴者）に提示するために本発明のようなタイトル挿入方法が有効と考えられるからである。
【００２２】
従って、本発明の目的とする処は、日時に関連した情報をタイトルとして撮影状況に応じて自動的に挿入することができるタイトル自動挿入機能付き映像記録装置を提供することにある。
【００２３】
【課題を解決するための手段】
上記目的を達成するため、本発明は、計時手段と、任意の日時情報の変わり目を検出する手段と、任意の文字や記号等のキャラクタ（ｃｈａｒａｃｔｅｒ）を生成する手段と、該検出した日時情報の変わり目に対応して、生成したキャラクタを映像として記録媒体に記録する手段と、任意の映像を記録または撮影する手段と、を備えることを特徴とする。
【００２４】
【発明の実施の形態】
以下に本発明の実施の形態を添付図面に基づいて説明する。
【００２５】
＜実施の形態１＞
本実施の形態における説明に対応する請求項は１つとは限らない。又、この説明をもってそれぞれの請求項の構成要素を制限するものではない。
【００２６】
図１は本発明に係るタイトル画像自動挿入機能付き映像記録装置としてのメモリカードスロット付きデジタルビデオカメラの概略ブロック図、図２は本発明を実現するための制御手順（フローチャート）を示す。
【００２７】
図１において、１０１はビデオカメラのレンズ部で、不図示の被写体を撮像するためのズーム機能付きレンズ、１０２はＣＣＤ（Ｃｈａｒｇｅ　Ｃｏｕｐｌｅｄ　Ｄｅｖｉｃｅ）で、レンズ部１０１で構成される光学系より入ってくる像を撮像する撮像素子である。
【００２８】
１０３は撮像素子駆動部で、カメラ信号処理部からのタイミングに従ってＣＣＤ１０２を駆動する。１０４はＣＤＳ（Ｃｏｒｒｅｌａｔｅｄ　Ｄｏｕｂｌｅ　Ｓａｍｐｌｉｎｇ）、ＡＧＣ（Ａｕｔｏ　Ｇａｉｎ　Ｃｏｎｔｒｏｌｌｅｒ）部で、ＣＣＤ１０２からのアナログ信号をサンプリングすると共に、システム制御部１１３からの制御により、信号レベルのゲインコントロールを行う。１０５はＡ／Ｄ（Ａｎａｌｏｇ　ｔｏ　Ｄｉｇｉｔａｌ）変換器で、前段からのアナログ信号をデジタル信号に変換する。１０６はカメラ信号処理部で、タイミング生成や、ＡＥ（Ａｕｔｏ　Ｅｘｐｏｓｕｒｅ）制御、ＡＦ（Ａｕｔｏ　Ｆｏｃｕｓ）制御等、システム制御部１１２と連携して、カメラ撮像系の制御を担う。
【００２９】
１０７はマイクで、撮像系を経て入ってきた映像と合わせて周囲の音を記録するために集音する。１０８はメモリ制御部で汎用記憶部１０８を制御すると共に、カメラ信号処理部１０５からの映像信号に特殊効果（フェードイン／アウト、ワイプ、スクロール、モザイク、白黒、セピア処理等）を汎用機億部１０８での処理を活用して実現する。
【００３０】
１０９は汎用記憶部で、本発明の各種制御手段を実現するためのプログラム及びびデータ等を納め、制御実行のために必要に応じて作業領域としても使用するＲＯＭやＲＡＭである。１１０はビデオ制御部で、テープ記録／再生部１１２の制御を行う。又、撮像系から入ってくるデジタル映像信号と、キャラクタジェネレータ１１１で生成されるテキストタイトルや外部映像情報記録用記録媒体１１５に記録されている画像情報をシステム制御部１１３と連携して合成する等の制御も行う。
【００３１】
１１１はキャラクタジェネレータ部で、表示するための文字や記号の画素（ｂｉｔ）パターンを記録してある読み出し専用メモリ（ＲＯＭ）から、制御用ＣＰＵを介して計時手段１１７から読み出した日時を基に、文字や記号のキャラクタを読み出す。そして、ビデオ制御部１１０において、合成したい映像（画面）の水平及び垂直同期信号に応じてビデオ信号に合成し、テープ記録／再生部により記録される。図中では、ＲＯＭも含めて書いてある。
【００３２】
１１２はテープ記録／再生部で、ビデオ制御部１１０によりＤＶ規格のＳＤフォーマットにエンコードされた映像信号をＤＶテープに記録又はＤＶテープから再生する。
【００３３】
１１３は本発明の各制御手順を実行するための制御部である。後述する、図２で示すフローチャートのような各種制御手順を実行する。１１４は外部記録媒体接続インタフェースで、ここでは、メモリカードのスロットとする。
【００３４】
１１５は外部記憶媒体で、ここではメモリカードとする。このメモリカードには、予め任意の静止画像を記録しておくものとする。１１６は入力操作部で、特に図示はしないが、選択ボタンや決定ボタン、各種モードボタン等を備えている。１１７は計時部で、リアルタイムクロック（ＲＴＣ）とバックアップ電池備え、日時をカウントしており、制御部１１３からの要求に応じて、日時情報を返信する。
【００３５】
１１８はＤ／Ａ（Ｄｉｇｉｔａｌ　ｔｏ　Ａｎａｌｏｇ）変換器で、テープ記録／再生部１１２に記録された映像情報をビデオ制御部１１０を経由してデコードしたデジタル信号をアナログ信号に変換して、表示部１１９に送る。
【００３６】
１１９は表示部で、ＥＶＦ（Ｅｌｅｃｔｒｉｃａｌ　Ｖｉｅｗ　Ｆｉｎｄｅｒ）やＬＣＤ表示パネルであり、テープ記録／再生部１１２で記録する際には撮像系からの入力映像を表示し、再生する際には、テープに記録されている映像を表示する。又、操作部１１６からのユーザによる入力操作情報や外部記録媒体内の任意の画像情報等を表示する。
【００３７】
デジタルビデオカメラにおいて図２に示す制御手順例に従い、本発明のタイトル画像自動挿入機能付き映像記録装置の制御手法を実現する。
【００３８】
Ｓ２０１のスタートで、本デジタルカメラにバッテリ等で電源が供給されたことによりユーザからの操作待ち受けを開始する。
【００３９】
Ｓ２０２では、操作部１１６に含まれる撮影スタンバイスイッチ（Ｓｔａｎｄｂｙ　Ｓｗｉｔｃｈ）がユーザにより入れられたかどうかを検出する。もし、本ビデオカメラのスタンバイスイッチが入れられ、撮影スタンバイ状態になった時は、それを検出してＳ２０４に進む。そうでない時は、Ｓ２０３に進む。Ｓ２０３では、計時部１１７からシステム制御部１１３が日時情報を取得する。
【００４０】
Ｓ２０４では、操作部１１６に含まれる撮影開始／終了ボタンが押されたかどうかを検出する。もし、ユーザにより撮影開始／終了ボタンが押され、撮影開始を検出した場合にはＳ２１１に進む。そうでない場合には、Ｓ２０２に進み制御を続ける。
【００４１】
Ｓ２０５では、ユーザが予め設定した時間帯の区切り等を跨いだかどうかを判断する。即ち、予め設定されている日時情報の変わり目を検出する。これにより、未だ設定時間帯を移っていない時は、Ｓ２０２に戻り制御を続ける。逆に、時間帯を移った場合には、Ｓ２０６に進む。
【００４２】
Ｓ２０６では、例えば表１に示すような対応関係で、Ｓ２０３で取得した日時情報を基にタイトル表示するキャラクタを決める。表１では、時間帯は午前、午後の２つしか分けていないが、表２に示すように、多数の時間帯に分けて、木目細かく表示するタイトルを制御することも可能である。
【００４３】
ここで、これらの対応関係のデータは、汎用機億部１０９に保存されていても、外部記録媒体１１５に保存されていても構わない。又、ここでは特に制御フローを示していないが、ユーザが任意に操作部１１６を操作して設定することも可能である。
【００４４】
Ｓ２０７では、Ｓ２０６で決められたタイトルキャラクタ情報に基づいて、システム制御部１１３がキャラクタジェネレータ部１１１に対して表示に必要なデータ（レジスタ値や必要に応じて表示キャラクタのビットデータ等）をセットする。
【００４５】
Ｓ２０８では、テープ記録／再生部１１２においてビデオ制御部１１０を通じて、キャラクタジェネレータ部１１１からのタイトルキャラクタが映像として記録される。このときの背景は任意であるが、通常はビデオ制御部１１０に含まれるカラーパレット等によるブルーバックの使用等が考えられる。
【００４６】
Ｓ２０９では、システム制御部１１３に含まれるタイマーカウンタにより一定時間をカウントし、一定時間タイトルキャラクタがテープに記録された場合に、Ｓ２１０に進む。ここでは、４秒間でカウンタがゼロになって割り込みが掛かるようにカウンタ値がセットされていたものとする。ここでのカウンタ値の設定も特に制御フローは書いていないが、ユーザに自由に設定可能としても構わない。
【００４７】
Ｓ２１０では、タイトルキャラクタのテープへの記録を終了させる。終了後は、Ｓ２０２に戻り制御を続ける。
【００４８】
Ｓ２１１では、Ｓ２０４で撮影開始／終了ボタンが押されたことを検出した後で、レン　ズ１０１から撮像系を通じて入ってきた映像信号を順次通過ブロックの機能に応じて処理した後、テープ記録／再生部１１２において、映像データをテープに記録開始する。
【００４９】
Ｓ２１２では、ユーザにより操作部１１６に含まれる撮影開始／終了ボタンが再び押されたかどうかを検出する。撮影開始／終了ボタンが再び押された場合は、Ｓ２１３に進む。
【００５０】
Ｓ２１３では、絵撮影映像記録を終了し、Ｓ２０２に進み制御を続ける。
【００５１】
以上の制御により、全体の制御結果は、図３のようになる。図３では、時間帯を表１で示すような１日を午前と午後の２つに分け、「００：００〜１２：００」「１２：００〜２４：００」で考えている。ここでは、図３で示す「時間帯Ａ」でＳ２０１によりスタートしたものとする。Ｓ２０５により以前にタイトルを記録した日付を含めた時間帯と比較して変化が検出されると、「タイトルＡ」が自動的に挿入記録される。
【００５２】
【表１】
2004007041.tif 000003
ユーザは、タイトルが自動的に挿入記録されたかどうかを意識することなく、Ｓ２０２の撮影スタンバイモードを経て、Ｓ２０４で図３の「シーン１」の撮影を開始する。Ｓ２１２で撮影終了した後、１２：００になり「時間帯Ｂ」になったことを、Ｓ２０５で検出すると「タイトルＢ」が自動的に挿入記録される。後は、同様にユーザの操作により、「シーン２」「シーン３」と撮像経路を通じた映像が撮影記録されるが、「シーン３」の前にでは時間帯の変化がないので、タイトル画像は挿入記録されない。続いて、次の日に当たる「時間帯Ｃ」になると、「タイトルＣ」が同様に自動的に挿入記録される。
【００５３】
又、図３の下段にタイトルの表示例を挙げておく。ここでは、「時間帯Ａ」でＳ２０３により取得された日時情報が、「２０００年１２月２０日０３時０５分」であったと仮定している。背景については、無地のカラーバックで構わないが、タイトルキャラクタが識別できる色関係である必要がある。
【００５４】
以上により、本実施の形態では、ビデオカメラやデジタルカメラによる撮影において、日時情報として例えば時間帯をトリガーとし、日時に関連した情報をタイトル画像として、次の撮影開始前に自動的に挿入する方法を提供する。この方法では、撮影開始時に煩雑な操作を必要とせずに、且つ、撮影画像に影響を与えることなくタイトルを入れることが可能となる。
【００５５】
同時に、従来からの機器においてのタイトル自動挿入又は合成おいて、
・撮影／録画シーンが変わる毎に、例えば日時が挿入される
・システムとして対応していない機器で再生すると意図したタイトルが表示されない
・再生時に、一度表示指定をした日時表示等が、ずっと表示されたままとなる等という不具合も解消する。
【００５６】
ここでは、カメラ機能を持ったビデオカメラを例に挙げて説明したが、本発明の趣旨からカメラ機能の無い（据え置き型の）映像記録装置にも適用可能である。
【００５７】
＜実施の形態２＞
以下に本発明でのタイトル画像自動挿入機能付き映像記録装置における実施の形態２について、図面を参照しながら説明する。本実施の形態で実施の形態１と異なるのは、タイトルとして記録されるキャラクタジェネレータで生成されたキャラクタの背景についてである。
【００５８】
実施の形態１では、背景画像は特に指定が無くブルーバック等の無地であったが、本実施の形態では、任意の静止画像ファイルを背景画像として該キャラクタと合成する。
【００５９】
本実施の形態においては、実施の形態１と同様、図１のブロック図に示すようなタイトル画像自動挿入機能付き映像記録装置としてメモリカードスロット付きデジタルビデオカメラにおいて、図４のフローチャートに示す制御手順に従う。図１の説明は同様なので省略し、図４のフローチャートに示す制御手順を説明していく。
【００６０】
Ｓ４０１のスタートで、本デジタルカメラにバッテリ等で電源が供給されたことにより　ユーザからの操作待ち受けを開始する。
【００６１】
Ｓ４０２では、操作部１１６に含まれる撮影スタンバイスイッチ（Ｓｔａｎｄｂｙ　Ｓｗｉｔｃｈ）がユーザにより入れられたかどうかを検出する。もし、本ビデオカメラのスタンバイスイッチが入れられ、撮影スタンバイ状態になった時は、それを検出してＳ４０４に進む。そうでない時は、Ｓ４０３に進む。
【００６２】
Ｓ４０３では、計時部１１７からシステム制御部１１３が日時情報を取得する。
【００６３】
Ｓ４０４では、操作部１１６に含まれる撮影開始／終了ボタンが押されたかどうかを検出する。もし、ユーザにより撮影開始／終了ボタンが押され、撮影開始を検出した場合にはＳ４１２に進む。そうでない場合には、Ｓ４０２に進み制御を続ける。
【００６４】
Ｓ４０５では、ユーザが予め指定した時間帯の区切りを跨いだかどうかを判断する。即ち予め設定されている日時情報の変わり目を検出する。これにより未だ時間帯に変化が無い時は、Ｓ４０２に戻り制御を続ける。逆に、時間帯に変化があった場合には、Ｓ４０６に進む。
【００６５】
Ｓ４０６では、表１に示すような対応関係で、Ｓ４０３で取得した日時情報を基にタイトル表示するキャラクタを決める。表１では、時間帯は午前、午後の２つしか分けていないが、表２に示すように、多数の時間帯に分けて、木目細かく表示するタイトルを制御することも可能である。
【００６６】
【表２】
2004007041.tif 000004
ここで、これらの対応関係のデータは、汎用機億部１０９に保存されていても、外部記録媒体１１５に保存されていても構わない。又、ここでは特に制御フローを示していないが、ユーザが任意に操作部１１６粗相さして設定することも可能である。
【００６７】
Ｓ４０７では、Ｓ４０６で決められたタイトルキャラクタ情報に基づいて、システム制御部１１３がキャラクタジェネレータ部１１１に対して表示に必要なデータ（レジスタ値や必要に応じて表示キャラクタのビットデータ等）をセットする。
【００６８】
Ｓ４０８では実施例１と異なり任意の背景画像を外部記録媒体１１５から外部記録媒体接続インタフェース１１４を通じて、システム制御部１１３がメモリ制御部１０８を通じて汎用岐路億部１０９に読み込む。ここで、背景画像は、ＪＰＥＧ（Ｊｏｉｎｔ　Ｐｈｏｔｏｇｒａｐｈｉｃ　Ｅｘｐｅｒｔｓ　Ｇｒｏｕｐ）規格に沿ったｊｐｅｇファイルとして記録されており、システム制御部１１３で読み込みながらデコードして、ビットマップ（ｂｍｐ）データに変換する。
【００６９】
Ｓ４０９では合成タイトルの挿入記録開始する。ビデオ制御部１１０を通じてキャラクタジェネレータ部１１１からのタイトルキャラクタのビットマップデータと、汎用記憶部１０９に読み込まれた背景画像のビットマップデータをビデオ制御部１１０でリアルタイムに合成しながら、テープ記録／再生部１１２で映像として記録される。
【００７０】
Ｓ４１０では、システム制御部１１３に含まれるタイマーカウンタにより一定時間をカウントし、一定時間、合成タイトルがテープに記録された場合に、Ｓ４１１に進む。ここでは、４秒間でカウンタがゼロになって割り込みがかかるようにカウンタ値がセットされていたものとする。ここでのカウンタ値の設定も特に制御フローは書いていないが、ユーザに自由に設定可能としても構わない。
【００７１】
Ｓ４１１では、タイトルキャラクタのテープへの記録を終了させる。終了後は、Ｓ４０２に戻り制御を続ける。
【００７２】
Ｓ４１２では、Ｓ４０４で撮影開始／終了ボタンが押されたことを検出した後で、レンズ１０１から撮像系を通じて入ってきた映像信号を順次通過ブロックの機能に応じて処理した後、テープ記録／再生部１１２において、映像をテープに記録開始する。
【００７３】
Ｓ４１３では、ユーザにより操作部１１６に含まれる撮影開始／終了ボタンが再び押されたかどうかを検出する。撮影開始／終了ボタンが再び押された場合は、Ｓ４１４に進む。
【００７４】
Ｓ４１４では、絵撮影映像記録を終了し、Ｓ４０２に進み制御を続ける。
【００７５】
以上の制御により、図３と同様のタイトル挿入制御ではあるが、挿入される合成タイトルは図５のように多様化する。図５においては、「タイトルＡ」として挿入されるのは、背景画像にあるビットマップデータを使用し、それに日時情報に対応付けられた「２０００年１２月２０日」、「午前」というキャラクタを合成して記録したタイトルの例である。
【００７６】
「タイトルＢ」には、図４のフローチャートには示さなかったが、複数の静止画を背景画像と使用し、それぞれに日時情報に対応付けられた「２０００年１２月２０日」、「午後」というキャラクタを合成して記録したタイトルの例であるタイトルとして複数の合成タイトルをスライドショーのように表示しているイメージを示したものである。
【００７７】
「タイトルＣ」には、これも図４のフローチャートには示さなかったが、外部記録媒体に保存されている複数枚、ここでは４枚の静止画像を１枚の静止画像に合成した上に、日時情報に対応付けられた「２０００年１２月２１日」、「午前」というキャラクタを合成して記録したタイトルの例である。
【００７８】
それぞれのタイトル画像の合成において、合成するキャラクタの色は任意であるが、視認性を高めるためにキャラクタ文字の周りを別途、矩形領域の塗り潰し色で埋めても良い。
【００７９】
更に、ここで背景画像として使用した画像は、予めユーザが自由に用意した画像ファイルでも構わず、タイトルが挿入される以前に本ビデオカメラの静止画撮影機能において撮影されたＪＰＥＧファイルを用いても構わない。背景画像の合成方法においても、ユーザ指定する仕組みを用意することは容易であるが、操作の簡便性を考慮して固定のものとしても良いし、ランダム姓を持たせて映像に挿入するタイトルとして、演出効果を出しても構わない。
【００８０】
以上により、本実施の形態では、ビデオカメラやデジタルカメラによる撮影において、日時情報として例えば時間帯をトリガーとし、日時に関連した情報をタイトル画像として、次の撮影開始前に自動的に挿入する方法を提供する。しかも、任意の背景画像と日時情報に関連したキャラクタを合成してタイトルとして用いることで、視聴者に対する視認性を上げると共に、撮影内容に、よりマッチした訴求性を高める映像作りが可能となる。更に、実施の形態１の場合と同様に、この方法では、撮影開始時に特別煩雑な操作を必要としないで、且つ、撮影画像に影響を与えることなくタイトルを入れることが可能となる。
【００８１】
ここでは、カメラ機能を持ったビデオカメラを例に挙げて説明したが、本発明の趣旨からカメラ機能の無い（据え置き型の）映像記録装置にも適用可能である。
【００８２】
＜実施の形態３＞
以下に本発明での映像リンク再生装置における実施の形態３について、図面を参照しながら説明する。本実施の形態で実施の形態１，２と異なるのは、或る時間帯においてタイトルが挿入されたにも拘らず同一時間帯において撮影が行われなかった場合の制御方法についてである。
【００８３】
本実施の形態においては、実施の形態１，２と同様、図１のブロック図に示すようなタイトル画像自動挿入機能付き映像記録装置としてメモリカードスロット付きデジタルビデオカメラにおいて、図６のフローチャートに示す制御手順に従う。図１の説明は同様なので省略し、図６のフローチャートに示す制御手順を説明していく。
【００８４】
Ｓ６０１のスタートで、本デジタルカメラにバッテリ等で電源が供給されたことにより　ユーザからの操作待ち受けを開始する。
【００８５】
Ｓ６０２では、操作部１１６に含まれる撮影スタンバイスイッチ（Ｓｔａｎｄｂｙ　Ｓｗｉｔｃｈ）がユーザにより入れられたかどうかを検出する。もし、本ビデオカメラのスタンバイスイッチが入れられ、撮影スタンバイ状態になった時は、それを検出してＳ６０４に進む。そうでない時は、Ｓ６０３に進む。
【００８６】
Ｓ６０３では、計時部１１７からシステム制御部１１３が日時情報を取得する。
【００８７】
Ｓ６０４では、操作部１１６に含まれる撮影開始／終了ボタンが押されたかどうかを検出する。もし、ユーザにより撮影開始／終了ボタンが押され、撮影開始を検出した場合にはＳ６１５に進む。そうでない場合には、Ｓ６０２に進み制御を続ける。
【００８８】
Ｓ６０５では、ユーザが予め指定した時間帯の区切りを跨いだかどうかを判断する。即ち、予め設定されている日時情報の変わり目を検出する。これにより、未だ時間帯に変化がない時は、Ｓ６０２に戻り制御を続ける。逆に、時間帯に変化があった場合には、Ｓ６０６に進む。
【００８９】
Ｓ６０６では、一度でも撮影が行われたかどうかを示す撮影フラグがセットされているかどうかを判定する。撮影フラグは、Ｓ６１５で撮影が行われる時にセットされる。
【００９０】
Ｓ６０７では、Ｓ６０６で撮影フラグがセットされていることが確認できた場合、撮影フラグをクリアして、Ｓ６０８に進み、順次タイトルを挿入記録する。
【００９１】
Ｓ６０８では、Ｓ６０６で撮影フラグがセットされていないことが判明した場合、タイトルが挿入記録されてから一度も撮影が行われていなかったことになるので、既に記録されているタイトルの頭出しを行う。これにより、既に記録されているタイトルを上書きする形で新しいタイトルを記録していく。タイトルの頭出しには、例えば、記録時に自動的に付ける頭出し用のインデックス信号をサーチする等して行う。
【００９２】
Ｓ６０９では、表１に示すような対応関係で、Ｓ６０３で取得した日時情報を基にタイトル表示するキャラクタを決める。表１では、時間帯は午前、午後の２つしか分けていないが、表２に示すように、多数の時間帯に分けて、木目細かく表示するタイトルを制御することも可能である。
【００９３】
ここで、これらの対応関係のデータは、汎用機億部１０９に保存されていても、外部記録媒体１１５に保存されていても構わない。又、ここでは特に制御フローを示していないが、ユーザが任意に操作部１１６粗相さして設定することも可能である。
【００９４】
Ｓ６１０では、Ｓ６０６で決められたタイトルキャラクタ情報に基づいて、システム制御部１１３がキャラクタジェネレータ部１１１に対して表示に必要なデータ（レジスタ値や必要に応じて表示キャラクタのビットデータ等）をセットする。
【００９５】
Ｓ６１１では、実施の形態１と異なり任意の背景画像を外部記録媒体１１５から外部記録媒体接続インタフェース１１４を通じて、システム制御部１１３がメモリ制御部１０８を通じて汎用岐路億部１０９に読み込む。ここで背景画像は、ＪＰＥＧ（Ｊｏｉｎｔ　Ｐｈｏｔｏｇｒａｐｈｉｃ　Ｅｘｐｅｒｔｓ　Ｇｒｏｕｐ）規格に沿ったｊｐｅｇファイルとして記録されており、システム制御部１１３で読み込みながらデコードして、ビットマップ（ｂｍｐ）データに変換する。
【００９６】
Ｓ６１２では合成タイトルの挿入記録開始する。ビデオ制御部１１０を通じてキャラクタジェネレータ部１１１からのタイトルキャラクタと、汎用記憶部１０９に読み込まれた背景画像のビットマップデータをビデオ制御部１１０でリアルタイムに合成しながら、テープ記録／再生部１１２で映像として記録される。
【００９７】
Ｓ６１３では、システム制御部１１３に含まれるタイマーカウンタにより一定時間をカウントし、一定時間、合成タイトルがテープに記録された場合に、Ｓ６１１に進む。ここでは、４秒間でカウンタがゼロになって割り込みが掛かるようにカウンタ値がセットされていたものとする。ここでのカウンタ値の設定も特に制御フローは書いていないが、ユーザに自由に設定可能としても構わない。
【００９８】
Ｓ６１４では、タイトルキャラクタのテープへの記録を終了させる。終了後は、Ｓ６０２に戻り制御を続ける。
【００９９】
Ｓ６１５では、撮影が行われたことを示す撮影フラグをセットする。撮影フラグはシステム制御部１１３内のレジスタと、不図示の不揮発性メモリ（ＥＥＰＲＯＭ）に記録するものとする。
【０１００】
Ｓ６１６では、Ｓ６０４で撮影開始／終了ボタンが押されたことを検出した後で、レンズ１０１から撮像系を通じて入ってきた映像信号を順次通過ブロックの機能に応じて処理した後、テープ記録／再生部１１２において、映像をテープに記録開始する。
【０１０１】
Ｓ６１７では、ユーザにより操作部１１６に含まれる撮影開始／終了ボタンが再び押されたかどうかを検出する。撮影開始／終了ボタンが再び押された場合は、Ｓ６１８に進む。
【０１０２】
Ｓ６１８では、絵撮影映像記録を終了し、Ｓ６０２に進み制御を続ける。
【０１０３】
以上の制御により、図７に示す「ケース４」のように、タイトル挿入の制御を行っている。
【０１０４】
因に、図６のフローチャートでは特に説明していないが、「ケース１」は単純に時間帯が変化したらタイトルを挿入する概念を示している。
【０１０５】
「ケース２」では、撮影スタンバイ中は時間帯が変化してもタイトルを挿入せず、撮影が終了した時点でタイトル（「タイトルＢ２」）を自動的に挿入記録する制御の様子を示している。
【０１０６】
「ケース３」では、撮影中に時間帯が変化した場合は、撮影が終了した後にタイトル（「タイトルＢ３」）を自動的に挿入記録する制御の様子を示している。
【０１０７】
「ケース４」では、フローチャート図６で制御した様子を示しており、「タイトルＢ４」が自動挿入記録された後で、一度も同一時間帯で撮影が行われなかったために、時間帯が変化した時点で、「タイトルＢ４」に「タイトルＣ４」を上書き記録している。
【０１０８】
以上により、本実施の形態では、ビデオカメラやデジタルカメラによる撮影において、日時情報として例えば時間帯をトリガーとし、日時に関連した情報をタイトル画像として、次の撮影開始前に自動的に挿入する方法を提供する。しかも、任意の背景画像と日時情報に関連したキャラクタを合成してタイトルとして用いることで、視聴者に対する視認性を上げると共に、撮影状況に応じたタイトル挿入方法を実現する。更に、実施の形態１，２の場合と同様に、この方法では、撮影開始時に特別煩雑な操作を必要としないで、且つ、撮影画像に影響を与えることなくタイトルを入れることが可能となる。
【０１０９】
加えて、タイトルが挿入記録された同一時間帯に撮影／記録が行われなかった場合には、別時間帯のタイトルが続けて挿入記録されることを防止する。
【０１１０】
ここでは、カメラ機能を持ったビデオカメラを例に挙げて説明したが、本発明の趣旨からカメラ機能の無い（据え置き型の）映像記録装置にも適用可能である。
【０１１１】
更に、カメラ撮影機能を有さず、例えばＴＶ放送等を記録するための据え置き型の映像記録装置においても本発明は有効である。
【０１１２】
【発明の効果】
以上説明したように、本発明によれば、タイトル映像を日時情報（時間帯の変わり目等）を条件として、計時手段から取得した日時情報に対応したタイトルをテープ等の記録媒体に自動挿入（記録）する。これにより、従来のビデオカメラやデジタルカメラ等によるタイトル挿入での、撮影開始時毎の煩雑な操作が要求されたり、再生時には固有のタイトル記録方式に対応した機器のみでしかタイトル再生ができない等の不都合を解消し、効果的なタイトル挿入の自動化と撮影状況に応じたタイトル挿入方法を実現することができる。
【図面の簡単な説明】
【図１】本発明の実施の形態１に係るタイトル画像自動挿入機能付き映像記録装置の構成例を示すブロック図である。
【図２】本発明の実施の形態１における制御手順のフローチャートである。
【図３】本発明の実施の形態１における制御イメージ図である。
【図４】本発明の実施の形態２における制御手順のフローチャートである。
【図５】本発明の実施の形態２における制御イメージ図である。
【図６】本発明の実施の形態３における制御手順のフローチャートである。
【図７】本発明の実施の形態３における制御イメージ図である。
【符号の説明】
１０１　　　レンズ部
１０２　　　ＣＣＤ（Ｃｈａｒｇｅ　Ｃｏｕｐｌｅｄ　Ｄｅｖｉｃｅ）
１０３　　　撮像素子駆動部
１０４　　　ＣＤＳ、ＡＧＣ部
１０５　　　Ａ／Ｄ変換器
１０６　　　カメラ信号処理部
１０７　　　マイク
１０８　　　メモリ制御部
１０９　　　汎用記憶部
１１０　　　ビデオ制御部
１１１　　　キャラクタジェネレータ部
１１２　　　テープ記録／再生部
１１３　　　制御部
１１４　　　外部記録媒体接続インタフェース
１１５　　　外部記憶媒体（メモリカード）
１１６　　　入力操作部
１１７　　　計時部
１１８　　　Ｄ／Ａ変換器
１１９　　　表示部
【図１】
2004007041.tif 000005
【図２】
2004007041.tif 000006
【図３】
2004007041.tif 000007
【図４】
2004007041.tif 000008
【図５】
2004007041.tif 000009
【図６】
2004007041.tif 000010
【図７】
2004007041.tif 000011